(57)【要約】【課題】２台のＨＤＤに同時に同じデータを記録するディジタル信号記録再生システムにおいて、有効記録容量の低下を防止するとともに、全体として信頼性の高いシステムを提供する。【解決手段】複数のＨＤＤ１〜６を接続しその内２台を一組として記録動作させる。ＨＤＤの記録残量が無くなると、一方のＨＤＤを新たなＨＤＤに切替えて記録を継続する。その際、同一ＨＤＤが連続して２回を越えて使用されないようにＨＤＤを選択する。【選択図】　図１
2004056537.tif 000002
【特許請求の範囲】
【請求項１】
複数の記録再生装置を接続し、入力されたディジタル信号を該複数の記録再生装置の内の２台の記録再生装置に同時に順次記録するディジタル信号記録再生システムにおいて、
上記複数の記録再生装置にディジタル信号を供給する供給手段と、
上記複数の記録再生装置の内２台を一組の記録再生装置とし、該一組の記録再生装置を動作させ、該一組の記録再生装置の内のどちらか一方の記録残量が無くなると、同一記録再生装置が連続して２回を越えて使用されないように一方の装置を新たな装置に切替え、記録を行うよう制御する制御手段を備えたことを特徴とするディジタル信号記録再生システム。
【請求項２】
前記制御手段は、更に記録再生装置の切替え前に、前記一組の記録再生装置の少なくとも一方の記録残量が設定値以下になると該記録再生装置の内の一台の記録再生装置を新たな記録再生装置に切替えるように設定する動作を行うことを特徴とする請求項１記載のディジタル信号記録再生システム。
【請求項３】
前記制御手段は、更に前記一組の記録再生装置の２台の内１台の記録再生装置が記録中に故障した場合に記録を中止するよう制御し、該故障した記録再生装置を含む一組の記録再生装置以外の２台の記録再生装置を新たに記録する一組の記録再生装置とするように動作を行うことを特徴とする請求項１または２に記載のディジタル信号記録再生システム。
【請求項４】
前記制御手段は、更に前記一組の記録再生装置の２台の内１台の記録再生装置が記録中に故障した場合に記録が中止された一組の記録再生装置からディジタル信号を再生する場合は、該中止された一組の記録再生装置の内故障の発生しなかった記録再生装置のディジタル信号を再生するよう動作を行うことを特徴とする請求項１乃至３のいずれか１項記載のディジタル信号記録再生システム。
【請求項５】
前記記録再生装置はハードディスクドライブであることを特徴とする請求項１乃至４のいずれか１項記載のディジタル信号記録再生システム。
【請求項６】
複数の記録再生装置を接続し、入力されたディジタル信号を該複数の記録再生装置の内の２台の記録再生装置に同時に順次記録するディジタル信号記録再生方法において、
上記複数の記録再生装置にディジタル信号を供給する供給ステップと、
上記複数の記録再生装置の内の２台の記録再生装置を一組の記録再生装置として選択する選択ステップと、
該一組の記録再生装置によりディジタル信号を記録する記録ステップと、
該一組の記録再生装置の内のどちらか一方の記録残量が無くなると、同一記録装置が連続して２回を越えて使用されないように一方の装置を新たな装置に切替える切替えステップを設けたことを特徴とするディジタル信号記録再生方法。
【請求項７】
前記切替えステップによる記録再生装置の切替え前に、前記一組の記録再生装置の少なくとも一方の記録残量が設定値以下になると該記録再生装置の内の１台の記録再生装置を新たな記録再生装置に切替えるよう設定する設定ステップを更に設けたことを特徴とする請求項６記載のディジタル信号記録再生方法。
【請求項８】
前記一組の記録再生装置の２台の内１台の記録再生装置が記録中に故障した場合に記録を中止する中止ステップと、
該故障した記録再生装置を含む一組の記録再生装置以外の２台の記録再生装置を新たに記録する一組の記録再生装置と切替える第２の切替えステップを更に設けたことを特徴とする請求項６または７のディジタル信号記録再生方法。
【請求項９】
前記一組の記録再生装置の２台の内１台の記録再生装置が記録中に故障した場合に記録が中止された一組の記録再生装置からディジタル信号を再生する場合は、該中止された一組の記録再生装置の内故障の発生しなかった記録再生装置のディジタル信号を再生する再生ステップを設けたことを特徴とする請求項６乃至８いずれか１項記載のディジタル信号記録再生方法。
【請求項１０】
前記記録再生装置はハードディスクドライブであることを特徴とする請求項６乃至９のいずれか１項に記載のディジタル信号記録再生方法。
【発明の詳細な説明】
【０００１】
【発明の属する技術分野】
本発明は、複数のハードディスクドライブ等の記録再生装置を接続して、２台を一組として同時に同じディジタル信号の記録を行うディジタル信号記録再生装置および方法に関する。
【０００２】
【従来の技術】
近年、映像等を記録再生する記録再生装置において、画質の向上と記録映像の検索性及び操作性の観点からハードディスクドライブ（以下、ＨＤＤと略す）を使用する装置が増加している。このようなＨＤＤを記録媒体とする記録再生装置において、その長時間記録のためにＨＤＤ単体の容量増大が進められ、また一方でＳＣＳＩ、ＵＳＢ等のインターフェイスを使用することにより装置外部に複数のＨＤＤを増設することで対応している。
【０００３】
しかしながら、ＨＤＤには可動部品が多くまた精密制御を行っているためクラッシュ等の故障が起こった場合、データが破壊されデータの読み出しができなくなるという問題があった。このため従来から、データ破壊時の信頼性を高めるためにミラーリング記録という技術が用いられている。ミラーリング記録とは、接続された複数のＨＤＤの内の２台のＨＤＤを１組のペアとし、２台毎に同時に同じデータを記録する制御をする。記録中にＨＤＤの記録残量がなくなった場合は、新たな別の１組の２台のＨＤＤに切替えて記録を継続する。これにより、２台のうち一方のＨＤＤが故障した場合でも、他方のＨＤＤには記録したデータが保存されているため、これからデータの読み出しができる。
【０００４】
しかしながら上記方法では、２台のＨＤＤに同じデータを記録するため同じデータが常に２つ存在することになり、媒体の有効記録容量は見かけ上半分となり、媒体の利用効率が低下するという問題がある。
【０００５】
この問題を改善するため、特開平１１−２７６１１号公報に記載の技術がある。この技術は、一組のうち一方のＨＤＤを特定のＨＤＤに固定し、他方のＨＤＤのみを順次切替えて記録していく方法である。特定のＨＤＤはバックアップ用として常に記録及び上書き記録を繰り返し、データは他方のＨＤＤに順次切替えて記録するようにする。これにより、データ自体はＨＤＤ毎に別のデータを記録するため、有効記録容量の低下が防止ができる。すなわちバックアップ分の記録容量の低下だけに抑えられる。
【０００６】
【発明が解決しようとする課題】
しかしながら、上記従来技術では、バックアップ用の特定のＨＤＤは記録時には常に記録動作している。この特定のＨＤＤは他のＨＤＤと比較して使用頻度が極端に大きくなり、寿命や信頼性が低下するという問題があった。また、バックアップ用の特定のＨＤＤとして内蔵のＨＤＤを使用した装置においては、内蔵のＨＤＤが故障した場合には記録が続行できなくなるという課題があった。
【０００７】
本発明の目的は、２台のＨＤＤに同時に同じデータを記録するディジタル信号記録再生システムにおいて、有効記録容量の低下を防止するとともに、特定のＨＤＤの寿命や信頼性を低下させることのない信頼性の高い記録再生システムおよびその方法を提供することにある。
【０００８】
【課題を解決するための手段】
上記課題を解決するために本発明のディジタル信号記録再生システムでは、複数の記録再生装置にディジタル信号を供給する供給手段と、複数の記録再生装置の内２台を一組の記録再生装置とし、該一組の記録再生装置を動作させ、該一組の記録再生装置の内のどちらか一方の記録残量が無くなると、同一記録再生装置が連続して２回を越えて使用されないように一方の装置を新たな装置に切替え、記録を行うよう制御する制御手段を備える構成とした。
【０００９】
また、本発明のディジタル信号記録再生方法では、複数の記録再生装置にディジタル信号を供給する供給ステップと、複数の記録再生装置の内の２台の記録再生装置を一組の記録再生装置として選択する選択ステップと、該一組の記録再生装置によりディジタル信号を記録する記録ステップと、該一組の記録再生装置の内のどちらか一方の記録残量が無くなると、同一記録装置が連続して２回を越えて使用されないように一方の装置を新たな装置に切替える切替えステップを設ける構成とした。
【００１０】
【発明の実施の形態】
本発明の実施の形態について、図１〜図４を用いて以下に説明する。
図１は、本発明によるディジタル記録再生システムの実施の形態における構成の一実施例を示す。本実施例では記録再生装置としてＨＤＤを６台接続した場合の例を説明する。図１において、１〜６はＨＤＤ、７は接続されている複数のＨＤＤ１〜６への記録及び再生の制御を行うためのＨＤＤ制御手段、８は各ＨＤＤへの各種信号を受け渡しするためのＳＣＳＩ、ＵＳＢ等のＨＤＤインターフェイスを示す。
【００１１】
記録時は、記録を開始する前に、ＨＤＤ制御手段７は接続されている複数のＨＤＤ１〜６のうち記録を行う対象の２台のＨＤＤを１組として設定する。例えば、ここではＨＤＤ３とＨＤＤ４を１組の記録用ＨＤＤとして設定する。このように設定された１組の２台のＨＤＤに対して、データ記録手段（図示せず）は同じデータを送るとともに、ＨＤＤ制御手段７はそのデータをＨＤＤ３及びＨＤＤ４で記録するように制御を行う。そして記録中には、ＨＤＤ制御手段７は、記録を行っているＨＤＤ３及びＨＤＤ４の記録残量を常にチェックしている。
【００１２】
少なくとも一方のＨＤＤの記録残量が一定の容量を下回った時は、次に記録を行う１組の２台のＨＤＤを設定して、記録のスタンバイ状態とする。このとき、次に記録を行う１組のＨＤＤの設定は、現在設定中のＨＤＤに対して片方のＨＤＤだけ切替える。例えば図１では、次の記録用ＨＤＤとしてＨＤＤ４とＨＤＤ５を組合せる。現在記録中の２台のＨＤＤの記録残量が無くなった場合、ＨＤＤ制御手段７は速やかに予め設定しておいた２台のＨＤＤ、ＨＤＤ４とＨＤＤ５への記録に移行し、記録が途切れないように迅速に切替え制御を行う。ＨＤＤ３は記録を停止し記録データが保持され、ＨＤＤ４は新しいデータを上書き記録を行うとともにＨＤＤ５へも新しいデータの記録を行う。
【００１３】
以後記録が継続している間は、この切替え制御方式を続けて記録を行う。すなわち２台のＨＤＤの組合せは、組合せ１１→１２→１３→１４→１５のように切替っていく。切替えの際は、同一ＨＤＤが連続して２回を越えて使用されないように一方のＨＤＤを新たなＨＤＤに切替えることに特徴がある。また、ＨＤＤ３、ＨＤＤ４、ＨＤＤ５・・・には、順次異なったデータが残っていく（図中●印側のＨＤＤ）。この切替え制御により、ミラーリング記録を行ないながらも有効記録容量の低下を防止するとともに、特定のＨＤＤのみの使用頻度が上がらず全ＨＤＤがほぼ均一な使用頻度とすることができるので、システム全体としての信頼性を向上させることができる。
【００１４】
図２は、本発明による記録制御の処理の流れを示すフローチャートである。ここでは現在記録しているＨＤＤをＨＤＤ：Ａ及びＨＤＤ：Ｂ、次の記録用に設定するＨＤＤをＨＤＤ：Ｃ及びＨＤＤ：Ｄとする。
【００１５】
まず、記録処理を開始するとステップ２０１でＮ値を１とし、ステップ２０２で記録するために設定される２台のＨＤＤ：ＡとＨＤＤ：Ｂとして、ＡはＮ＝１、ＢはＮ＋１＝２であるのでＨＤＤ１とＨＤＤ２とに設定して、ＨＤＤ１及びＨＤＤ２に同じデータの記録を開始する。ステップ２１０でクラッシュ等の故障が起きたかどうか判別し、クラッシュが起きていない場合はステップ２０３に進み、クラッシュが起きている場合はステップ２１１でクラッシュに対応した処理をした後、ステップ２０３に進む。ステップ２０３では、記録停止の操作をされたかどうかを判別しており、記録停止の操作をされた場合はステップ２０４で記録を停止する。ここで、記録停止の操作がされていない場合は、ステップ２０５でＨＤＤ：Ａ又はＨＤＤ：ＢすなわちＨＤＤ１又はＨＤＤ２の記録残量が予め設定されている設定値以下かどうかを判別する。ここで、記録残量が設定値より大きい場合は、ステップ２１０に戻る。
【００１６】
ステップ２０５で記録残量が設定値以下になった場合には、ステップ２０６で次に記録をする２台のＨＤＤ：ＣとＨＤＤ：ＤをＨＤＤ：Ａ＋１及びＨＤＤ：Ａ＋２すなわちＨＤＤ２及びＨＤＤ３と設定する。この結果、記録を開始する前に、次に記録する２台のＨＤＤを設定することで切替え制御をスムーズに行うことができ、かつ切替えに伴う記録の漏れを防ぐことができる。次にステップ２０７で現在記録しているＨＤＤ：Ａ及びＨＤＤ：ＢすなわちＨＤＤ１及びＨＤＤ２の記録残量がなくなったかどうかを判別する。記録残量があればそのままＨＤＤ：Ａ及びＨＤＤ：ＢすなわちＨＤＤ１及びＨＤＤ２への記録を続行し、記録残量が無くなった場合にはステップ２０８に進む。ステップ２０８で、次に記録するＨＤＤとしてステップ２０６で設定したＨＤＤ：Ｃ及びＨＤＤ：ＤであるＨＤＤ２及びＨＤＤ３に対して記録を開始する。ステップ２０９で、ＨＤＤ：Ｃ及びＨＤＤ：Ｄを記録中のＨＤＤであるＨＤＤ：Ａ及びＨＤＤ：Ｂとし、ステップ２１０に戻り、記録停止の操作があるまで、順次ＨＤＤを切替えながら記録を継続する。すなわち、記録する１組の２台のＨＤＤは、最初の１組がＨＤＤ１とＨＤＤ２である場合は、次がＨＤＤ２とＨＤＤ３であり、さらにＨＤＤ３とＨＤＤ４、ＨＤＤ４とＨＤＤ５、・・・というように１つずつシフトしていく。
【００１７】
またここで、ステップ２０６で次に記録するＨＤＤであるＨＤＤ：Ｄの値すなわちＡ＋２の値が接続されているＨＤＤの台数（本実施例では６台）よりも大きくなる場合には、次に記録するＨＤＤとして過去に使用した古いデータが記録されているＨＤＤを設定するようにしてもよい。例えば、ＨＤＤ６の次にＨＤＤ１に戻す処理にしてもよい。
【００１８】
またここで、次に記録するＨＤＤであるＨＤＤ：Ｄの値すなわちＡ＋２の値が接続されているＨＤＤの台数よりも大きくなる場合には、ＨＤＤ：Ａ及びＨＤＤ：Ｂの記録が一杯になったところで記録を停止するようにしてもよい。
【００１９】
またここで、ステップ２０４で記録停止をしたとき、最後に記録していたＨＤＤの番号を記録するようにしておき、記録を再開した場合はステップ２０１ではＮ＝１とせず、最後のＨＤＤの番号として、最後のＨＤＤから記録を再開するようにしてもよい。
【００２０】
またここで、記録を同時に行うＨＤＤの台数を２台に限らず３、４、５……台と増やして、ディジタル記録の信頼性をより向上させることもできる。
【００２１】
次に図３は、記録中に、ＨＤＤが故障等の不具合が発生した場合の制御のフローチャートを示す。すなわち、記録中にＨＤＤがクラッシュ等の故障を起こした時の上記ステップ２１０及びステップ２１１の処理の詳細を示す。ステップ２１０（図２）でのクラッシュ判別は、ステップ３０１及びステップ３０２のように現状記録しているＨＤＤ：ＡとＨＤＤ：Ｂのどちらかが故障していないかを判別する方法で行う。クラッシュ等の故障が発生した場合、ステップ２１１（図２）でクラッシュ処理に入る。例えば、ＨＤＤ１とＨＤＤ２に対して記録を行っている時にＨＤＤ１が故障した場合、ステップ３０３でそれまでに記録したデータを保護するために、ＨＤＤ制御手段７は、故障するまで記録を行っていた２台のＨＤＤ１とＨＤＤ２に対する記録を中止して、今後記録がされないようにシステムから隔離するような制御を行う。その後、ステップ３０４でＨＤＤ制御手段７は新たに記録を行う２台のＨＤＤであるＨＤＤ：ＥとＨＤＤ：Ｆとして、ＨＤＤ：Ａ＋２とＨＤＤ：Ａ＋３すなわちＨＤＤ３とＨＤＤ４を設定する。その後、ステップ３０５でＨＤＤ３とＨＤＤ４に記録を再開する制御を行ない、ステップ３０６でＨＤＤ：Ａ＋２とＨＤＤ：Ａ＋３を記録中のＨＤＤであるＨＤＤ：Ａ及びＨＤＤ：Ｂとし、ステップ２０３（図２）に進む。この結果、ＨＤＤの不具合による記録停止を回避することが出来る。
【００２２】
なお、ここで現在記録しているＨＤＤであるＨＤＤ：ＡとＨＤＤ：Ｂは、このＨＤＤ３とＨＤＤ４になり、この場合ステップ２０６（図２）では次に記録する２台のＨＤＤとしてはＨＤＤ４とＨＤＤ５となる。
【００２３】
ここで、ＨＤＤに故障が起きた場合にユーザーに通知するようにしても構わない。また、通知する場合、通知方法として音声、映像、照明、表示等いずれの方法であっても構わない。
【００２４】
次に図４は、本発明により記録されたデータの再生を行う場合のフローチャートを示す。ここでは、ある時刻の映像を見たい場合等の再生する所を指定して再生を行う時の処理の例を説明する。
【００２５】
再生処理の開始として再生したい所が指定されると、まず指定した所が記録時にＨＤＤの故障が起こった所かどうかをステップ４０１で判別する。記録時にＨＤＤの故障が起こっていない場合は、ステップ４０２に進み、指定された再生したい所のあるＨＤＤを検索し、ステップ４０３で再生を開始する。ステップ４０１で、記録時にＨＤＤの故障が起こっている場合には、ステップ４０４で記録時にＨＤＤが故障したことをユーザーに通知する。その後、ステップ４０５で故障したＨＤＤのペアの内故障の起こっていないＨＤＤの再生したい所を検索し再生を開始する。本実施例では、ステップ４０４で故障したことをユーザーに通知するようにしているが、通知しないようにしても構わない。また、通知する場合、通知方法として音声、映像、照明、表示等いずれの方法であっても構わない。
【００２６】
本実施例では、ＨＤＤを６台接続した場合で説明したが、接続する台数はこれに限ったものではないことは言うまでもない。また、本装置の内蔵または本装置の外付けのＨＤＤのどちらでも構わない。
【００２７】
本実施例では、記録再生装置としてＨＤＤ装置で説明したが、これに限ったものではないことは言うまでもない。例えば、光ディスク、磁気ディスク、テープ等の記録媒体を使用した記録再生装置であっても構わない。
【００２８】
本発明では、ペアとなる１組の組合せのＨＤＤを順次１台ずつ切替えてデータを記録できるようにしたが、ＨＤＤの使用頻度を検出する手段を設け、使用頻度の低いＨＤＤを次に記録するＨＤＤに設定するようにしても構わない。
【００２９】
以上説明したように、本発明の実施の形態では、複数のＨＤＤを接続したディジタル信号記録再生システムにおいて、記録データの信頼性、保存性を高めながらＨＤＤ全体の有効記録容量の低下を改善する機能が実現できるディジタル信号記録再生システムを提供することができる。
【００３０】
【発明の効果】
本発明によれば、２台の記録再生装置に同時に同じデータを記録するディジタル信号記録再生システムおよび方法において、有効記録容量の低下を防止するとともに、全体として信頼性の高いシステムおよび方法を提供することができる。
【図面の簡単な説明】
【図１】本発明のディジタル信号記録再生システムの一実施形態を示すブロック図である。
【図２】本発明における記録制御の動作を示すフローチャートである。
【図３】本発明におけるＨＤＤ故障時の記録処理を示すフローチャートである。
【図４】本発明における再生時のフローチャートである。
【符号の説明】
１…ＨＤＤ１、２…ＨＤＤ２、３…ＨＤＤ３、４…ＨＤＤ４、５…ＨＤＤ５、
６…ＨＤＤ６、７…ＨＤＤ制御手段、８…ＨＤＤインターフェイス
【図１】
2004056537.tif 000003
【図２】
2004056537.tif 000004
【図３】
2004056537.tif 000005
【図４】
2004056537.tif 000006